(57)【特許請求の範囲】
【請求項１】
把手と底面周端縁部の少なくとも３つ以上の支持脚部とを有するランタン部とランタン部の下部に着脱自在に連結された虫除け器部とを備えてなり、
前記ランタン部は、
透光性の照明ケースの内部に光源を配置した照明部と、
前記光源の駆動電源の電池を収納し、前記光源の電源回路を外部操作によって断接するスイッチ操作部が設けられた電池ケースとを有し、
前記虫除け器部は、
内蔵した薬剤に強制的に送風されることによって虫が嫌がる匂いを発生する虫除け部材と、
外部から吸気して前記虫除け部材に対し送風するファンと、
前記ファンの回転駆動源と、
前記回転駆動源の駆動電源の電池と、
前記虫除け部材から発生した匂いを外部に放散する吹出口と、
前記回転駆動源の電源回路を外部操作によって断接するスイッチ操作部とを有し、
ランタン部の底面周縁部と虫除け器部の上面周縁部の何れか一方に、ほぼ円形となった保持壁部と、この保持壁部の高さ方向の端部から内方に突出する複数の係止爪片が設けられ、何れか他方に、前記保持壁部の内部に同心円状の配置で入り込む円形または複数の弧状のガイドレール部と、このガイドレール部の高さ方向の端部から外方に突出した複数の係合爪片が設けられ、
前記ランタン部と前記虫除け器部とが、前記保持壁部内に前記ガイドレール部を挿入したのちに相対回転させることにより、前記係合爪片が前記係止爪片の内側面に重合して着脱自在に連結されていることを特徴とする虫除け機能付きランタン。
【請求項２】
複数の係止爪片のうちの隣接する特定の２つの係止爪片間に設定された所定間隙に、複数の係合爪片のうちの特定の位置決め係合爪片が対向する相対位置となったときのみ、前記ガイドレール部および前記各係合爪片の前記保持壁部内への挿入が許容され、この挿入状態においてランタン部と虫除け器部とが所定角度だけ相対回転させることにより、前記係止爪片の内側面に前記係合爪片が重合し、且つ前記係止爪片の位置決め凹部に前記ガイドレール部の外面に設けられた係止突部が係入して、前記ランタン部と前記虫除け器部とが、各々のスイッチ操作部が同一面の上下に位置する相対位置に位置決めされるように構成されている請求項１に記載の虫除け機能付きランタン。
【請求項３】
虫除け器部が、
上面中央部に形成された吸気口と、上面周縁部に形成されたガイドレール部と、前記ガイドレール部の高さ方向の端部から内方に突出した複数の係合爪片と、前記ガイドレール部に形成されて前記吸気口を外部に連通する複数の導風用切欠きとを有し、
ランタン部が、
底面の周縁部に沿って形成された保持壁部と、前記保持壁部の高さ方向の端部から内方に突出した複数の係止爪片と、前記保持壁部に対し外方側の底面周端縁部から前記底面よりも下方に突出した形状の少なくとも３つ以上の支持脚部とを有し、
複数の前記支持脚部は、前記ランタン部と前記虫除け器部とが、位置決め凹部に係止突部が係入する所定の相対位置に連結されたときに、複数の前記導風用切欠きに対しこれを外方側からそれぞれ隠蔽する配置で設けられ、前記導風用切欠きを外部に連通させる導風口が下端に開設されている請求項２に記載の虫除け機能付きランタン。
【発明の詳細な説明】
【０００１】
【発明の属する技術分野】
本発明は、主として、夏期のキャンプなどの野外活動において好適に用いることのできる虫除け機能付きランタンに関するものである。
【０００２】
【従来の技術および発明が解決しようとする課題】
一般に、夏期のキャンプや夜間の屋外でのスポーツ見学などにおいては、テントの中での照明を得るために、電池を電源とするランタンが用いられ、また、虫を殺したり遠ざけたりする目的には、屋外であって商用電源が利用できないことから、蚊取線香が用いられている。しかしながら、蚊取線香をテントの中に入れるのは、火災を起こすおそれがあることから、好ましいことではない。また、夜間にキャンプ場の周囲を散策するような場合には、火のついた蚊取線香とランタンとの両方を持たなければならず、不便である。
【０００３】
そこで、本発明は、上記従来の課題に鑑みてなされたもので、１台で虫を遠ざける機能と照明灯としての機能とを併せ持ち、必要に応じてランタンおよび虫除け器として個々に使用可能な虫除け機能付きランタンを提供することを目的とするものである。
【０００４】
【課題を解決するための手段】
上記目的を達成するために、本発明の虫除け機能付きランタンは、把手と底面周端縁部の少なくとも３つ以上の支持脚部とを有するランタン部とランタン部の下部に着脱自在に連結された虫除け器部とを備えてなり、前記ランタン部が、透光性の照明ケースの内部に光源を配置した照明部と、前記光源の駆動電源の電池を収納し、前記光源の電源回路を外部操作によって断接するスイッチ操作部が設けられた電池ケースとを有し、前記虫除け器部が、内蔵した薬剤に強制的に送風されることによって虫が嫌がる匂いを発生する虫除け部材と、外部から吸気して前記虫除け部材に対し送風するファンと、前記ファンの回転駆動源と、前記回転駆動源の駆動電源の電池と、前記虫除け部材から発生した匂いを外部に放散する吹出口と、前記回転駆動源の電源回路を外部操作によって断接するスイッチ操作部とを有し、ランタン部の底面周縁部と虫除け器部の上面周縁部の何れか一方に、ほぼ円形となった保持壁部と、この保持壁部の高さ方向の端部から内方に突出する複数の係止爪片が設けられ、何れか他方に、前記保持壁部の内部に同心円状の配置で入り込む円形または複数の弧状のガイドレール部と、このガイドレール部の高さ方向の端部から外方に突出した複数の係合爪片が設けられ、前記ランタン部と前記虫除け器部とが、前記保持壁部内に前記ガイドレール部を挿入したのちに相対回転させることにより、前記係合爪片が前記係止爪片の内側面に重合して着脱自在に連結されていることを特徴としている。
【０００５】
この虫除け機能付きランタンでは、例えば、キャンプにおいてテントの中に置くことにより、所要の照明光を得ながらも虫がテント内に入らないよう除外できるので、蚊取線香を用いる場合のような火災の心配が全くなく、また、夜間にキャンプ場を散策するような場合には、ランタン部と虫除け器部とを一体物として携帯できるので、手軽に取扱いできる。しかも、虫除け器部は、ファンを回転駆動するだけであって発熱機能がないから、この点からも火災のおそれが全くない。さらに、ランタン部と虫除け器部とは、個々に分離できるとともに、個々に電源としての電池とスイッチ操作部とを備えているので、ランタンおよび虫除け器として個々に使用できる。そのため、虫除け器部は足元に置き、ランタン部はテーブル上に載置するといったように好ましい形態で使用できる。また、ランタン部と虫除け部とは、相対回転させるだけの容易な操作で相互に連結または分離することができるとともに、確実な連結状態とすることができる。
【０００８】
同上の構成において、複数の係止爪片のうちの隣接する特定の２つの係止爪片間に設定された所定間隙に、複数の係合爪片のうちの特定の位置決め係合爪片が対向する相対位置となったときのみ、前記ガイドレール部および前記各係合爪片の前記保持壁部内への挿入が許容され、この挿入状態においてランタン部と虫除け器部とが所定角度だけ相対回転させることにより、前記係止爪片の内側面に前記係合爪片が重合し、且つ前記係止爪片の位置決め凹部に前記ガイドレール部の外面に設けられた係止突部が係入して、前記ランタン部と前記虫除け器部とが、各々のスイッチ操作部が同一面の上下に位置する相対位置に位置決めされるように構成されていることが好ましい。
【０００９】
これにより、ランタン部と虫除け器部とは、方向性を持って相互に嵌合するので、僅かな所定角度だけ相対回転させることによって所要の相対位置とすることができ、そのときに各々のスイッチ操作部が同一面の上下に位置するので、双方の操作性が共に向上して使い勝手の良いものとなる。また、ランタン部と虫除け器部とは、位置決め凹部に係止突部が係入した位置決め状態に連結されるので、取り外し方向への回転力を加えない限り外れることのない連結状態とすることができる。
【００１０】
さらに、同上の構成において、虫除け器部が、上面中央部に形成された吸気口と、上面周縁部に形成されたガイドレール部と、前記ガイドレール部の高さ方向の端部から内方に突出した複数の係合爪片と、前記ガイドレール部に形成されて前記吸気口を外部に連通する複数の導風用切欠きとを有し、ランタン部が、底面の周縁部に沿って形成された保持壁部と、前記保持壁部の高さ方向の端部から内方に突出した複数の係止爪片と、前記保持壁部に対し外方側の底面周端縁部から前記底面よりも下方に突出した形状の少なくとも３つ以上の支持脚部とを有し、複数の前記支持脚部は、前記ランタン部と前記虫除け器部とが、位置決め凹部に係止突部が係入する所定の相対位置に連結されたときに、複数の前記導風用切欠きに対しこれを外方側からそれぞれ隠蔽する配置で設けられ、前記導風用切欠きを外部に連通させる導風口が下端に開設されていることが好ましい。
【００１１】
これにより、虫除け器部から分離したランタン部は、電池ケースの底面から下方に突出した３つ以上の支持脚部によって安定状態に据え置くことができ、また、ランタン部がテーブルから落下したような場合には、支持脚部が電池ケースを保護するよう機能する。さらに、ランタン部と虫除け器部とを所定の相対位置で連結したときには、虫除け器部における容器ケースの複数の導風用切欠きがそれぞれ支持脚部により外部から覆われて隠蔽されて、デザイン的に優れた外観を呈する。しかも、各導風用切欠きは、支持脚部によって外部から覆われているにも拘わらず、支持脚部の導風口を通じて外部に導通しているので、作動するファンの吸引力により、外部から導風口および導風用切欠きを通って虫除け器部の虫除け部材に対し送風することができ、虫除け器部として支障無く機能させることができる。
【００１２】
上記発明において、ランタン部は、上端部に把手を有する照明部の下端に電池ケースが着脱自在に連設されてなり、前記照明部が、透孔性筒状の外体ケース部と内周面もしくは外周面がローレット加工されて前記外体ケース部の中央部に位置する光拡散筒部とが一体形成されてなる照明ケースと、前記光拡散筒部の下端開口に臨ませた配置で設けられた光源とを備えていることが好ましい。
【００１３】
これにより、内周面もしくは外周面にローレット加工が施された光拡散筒部は、下端開口から臨ませられた光源の発光を拡散させて、柔らかい感じの光に変換する。したがって、照明部は、光源として一般的な豆電球を備えているだけのものであっても安っぽい感じとならず、食事時などにおいて豪華な雰囲気の光をかもしだすものとなる。また、光拡散筒部は照明ケースの外体ケース部に一体形成されているので、部品点数や組立工数の増加を招かない。
【００１４】
同上の構成において、照明ケースにおける外体ケース部の下端部と電池ケースの上端部とが、各々の突き合わせ面の間にパッキンを介在して、前記外体ケース部と前記電池ケースの何れか一方に形成された雄ねじ部と何れか他方に形成された雌ねじ部とを、何れか一方に形成された係合突起が何れか他方に形成された係合凹部に係入するまで締結することによって着脱自在に連結され、且つ前記両突き合わせ面のうちの一方に形成された環状リブの先鋭な先端部が前記パッキンに食い込んで密閉されていることが好ましい。
【００１５】
これにより、ランタン部は、例えば把手を持って左右に振り回すように取り扱ったような場合にも照明部の外体ケース部が電池ケースから外れるといったことが生じない。しかも、環状リブは、これの先鋭形状の先端部によって小さな負荷でパッキンに食い込むことにより、パッキンの厚みのばらつきを吸収して外体ケース部と電池ケース間を完全に密封するので、照明部および電池ケースは、屋外での使用時での防滴性が確実に確保される。
【００１６】
さらに、同上の構成において、ランタン部における照明部と電池ケースとの間に、上面に光源を電気的接続状態に取り付けたソケット部を有するとともに下面に前記電池ケースに収納された複数の電池を相互に接続する配線が施された中蓋プレートの周端縁部が挟持固定されていることが好ましい。
【００１７】
これにより、電池ケース内の電池を交換する場合には、照明部を電池ケースから取り外したのちに、中蓋プレートを電池ケースから引き出すことによって容易に行うことができる。したがって、照明部および電池ケースの何れの外面にも電池の挿入口を開設する必要がないので、電池の挿入口を別途設ける場合に比較して、デザイン的に優れた外観を呈するものとなる。
【００１８】
上記発明において、虫除け器部の外体となる容器ケースに、上下両面に通風口を有するカートリッジケース内に虫除け部材が収納されてなる虫除けカートリッジを上面の吸気口とこれの下方に配置されたファンとの間に収容するカートリッジ収容空間と、前記カートリッジ収容空間に対し前記虫除けカートリッジを出し入れする開口とが設けられ、前記容器ケースに着脱自在に装着されて前記開口を施蓋する蓋板に、前記容器ケースに装着時に前記虫除けカートリッジを弾力的に押圧して保持するクッション部材が設けられていることが好ましい。
【００１９】
これにより、虫除けカートリッジは、蓋板のクッション部材が押し付けられることにより、抜け止め状態にロックされてカートリッジ収容空間内に安定に保持される。したがって、蓋板は、虫除けカートリッジのロック部材としての機能をも兼備しており、また、虫除けカートリッジは蓋板によって外部からは完全に隠蔽された状態で容器ケース内に収容されるとともに、容器ケースは、蓋板によって開口が閉塞されて、恰も一体物のケース体であるが如き優れた外観を呈することになる。
【００２０】
同上の構成において、虫除けカートリッジは、ファンの駆動電源となる電池とこの電池と同じ耐用時間に設定された虫除け部材とがカートリッジケース内に使い捨て形態に収容されているとともに、前記電池が前記カートリッジケースから外部露呈されてなり、虫除け器部の容器ケースには、前記ファンの電源回路に介装して設けられた接触接点が開口の近傍箇所に突設されているとともに、前記ファンの駆動を外部表示する表示灯が設けられ、前記虫除けカートリッジが前記開口から挿入してカートリッジ収容空間に収納されたときに、前記電池の一方の電極が前記接触接点に接触するよう構成されていることが好ましい。
【００２１】
これにより、フアンを駆動するよう操作したにも拘わらず表示灯が点灯しなかった場合には、電池と共に虫除け部材も同時に寿命であると確認することができ、虫除けカートリッジの交換によって電池と虫除け部材とを同時に新たなものとすることができ、電池を交換して虫除け部材の交換を忘れるといった不具合の発生を確実に防止できる。
【００２２】
【発明の実施の形態】
以下、本発明の好ましい実施の形態について図面を参照しながら説明する。図１は、本発明の一実施の形態に係る虫除け機能付きランタンを示す正面図、図２はその分解正面図である。この虫除け機能付きランタンは、図２に示すように、ランタン部１と虫除け器部２とを個々に備えるとともに、図１に示すように、ランタン部１の下端部に虫除け器部２を着脱自在に嵌着して一体化できるようになっている。
【００２３】
ランタン部１は、上端部に把手４を有する照明部３と、この照明部３の下端部に着脱自在に嵌着された電池ケース７とを備えて構成されている。電池ケース７の底面周端縁部には、電池ケース７の底面よりも下方に突出する同一形状の４つの支持脚部９が90°の等間隔で配設されており、ランタン部１を単体として用いる場合には、上記支持脚部９によってテーブル上などに安定に据え置くことができる。一方、虫除け器部２は、側面に開口した複数の吹出口８から虫の嫌がる匂いを放散するようにしたものであり、この匂いは、殺虫を目的としたものでなく、虫を遠ざけるものである。
【００２４】
図３は上記虫除け機能付きランタンの切断右側面図であり、以下、主に同図を参照しながら虫除け機能付きランタンの構成について説明する。ランタン部１は、照明部３と電池ケース７との間に中蓋プレート１０が挟持固定されており、この中蓋プレート１０の上面中央部には、光源としての豆電球１４が電気的接続状態に挿着されるソケット部１１が設けられている。この中蓋プレート１０の詳細については後述する。
【００２５】
ランタン部１における照明部３は、半透明の有頭円筒状となった透光性の外体ケース部１７とこの外体ケース部１７の上面中央部から吊り下げ形態に垂下された光拡散筒部１８とが一体形成された照明ケース１２を有し、この照明ケース１２の上面が、上面中央から上方に把手４が突設された上蓋１３にねじ（図示せず）で固定されている。光拡散筒部１８は、内周面もしくは外周面にローレット加工が施されて、下端開口から臨ませられた豆電球１４の発光を拡散させて、柔らかい感じの光に変換するようになっている。したがって、照明部３は、光源として１個の豆電球を備えているだけであるにも拘わらず、安っぽい感じとならず、食事時などにおいて豪華な雰囲気の光をかもしだすものとなる。
【００２６】
照明部３の外体ケース部１７と電池ケース７とは、これらの突き合わせ面の間にパッキン２１を介在して、外体ケース部１７の雄ねじ部１９と電池ケース７の雌ねじ部２０とを締結することにより、着脱自在に連結されている。この雄ねじ部１９と雌ねじ部２０とは、図３のＡ部の拡大図である図６に示すように、雄ねじ部１９のねじ条の始端部に形成された係合凹部２２内に電池ケース７の係合突起２３が嵌まり込むまで締付けることにより、係合凹部２２と係合突起２３との嵌合によって照明部３の外体ケース部１７が電池ケース７に対し回転力を加えない限り容易に回らない程度に回り止めされる。これにより、ランタン部１は、把手４を持って左右に振り回すように取り扱ったような場合にも照明部３の外体ケース部１７が電池ケース７から外れるといったことが生じない。
【００２７】
ところで、上記外体ケース部１７と電池ケース７とは、係合凹部２２と係合突起２３との嵌合によって各々の突き合わせ面のクリアランスが常に一定となる相対位置で連結されるのに対し、外体ケース部１７と電池ケース７との突き合わせ面間に介在されるパッキン２１の厚みにはばらつきがある。そこで、電池ケース７の上端周面には断面三角形状の環状リブ２４が形成されており、この環状リブ２４は、外体ケース部１７が電池ケース７に対し上記状態まで締結されたときに、先鋭形状の先端部によって小さな負荷でパッキン２１に食い込むことにより、パッキン２１の厚みのばらつきを吸収して外体ケース部１７と電池ケース７間を完全に密封する。これにより、照明部３および電池ケース７は、屋外での使用時での防滴性が確実に確保される。
【００２８】
電池ケース７には、例えば単一形の電池（図示せず）を４個収納できるようになっている。これら各電池は、図示を省略しているが、電池ケース７の内底面と中蓋プレート１０の下面とにそれぞれ設けられた配線を通じて相互に直列接続されて、ソケット部１１における豆電球１４に接続するための接点部２７とばね端子２８とに接続されている。中蓋プレート１０は、自体の下面周縁部から垂設された複数の位置決め片２９を、電池ケース７の内面に縦方向に延びる配置で突設された複数の支持片３０間に挿入することにより、電池ケース７の上端開口の内部に収納可能になっている。これにより、中蓋プレート１０は、電池ケース７に対して、下面の配線が電池ケース７内の４個の電池を相互に接続できる相対位置に位置決めされるようになっている。また、中蓋プレート１０は、照明ケース１２の外体ケース部１７の下端周面と電池ケース７の複数の支持片３０との間に挟持固定されることにより、電池ケース７の上部開口を施蓋して内部の各電池を固定するよう機能する。
【００２９】
なお、電池ケース７内の電池を交換する場合には、照明部３を電池ケース７から取り外したのちに、中蓋プレート１０を電池ケース７から引き出すことによって行われる。新たな電池を電池ケース７内に挿入したのちは、中蓋プレート１０を電池ケース７に対し上述の相対位置に位置決めして電池ケース７の上端開口部に収納したのち、照明部３の外体ケース部１７を電池ケース７にねじ込み締結する手順で照明部３が電池ケース７に連結される。
【００３０】
ランタン部１の使用に際しては、スイッチ摘まみ３１を「電源切り」の位置から「電源入り」の位置まで所定角度だけ回転操作する。これにより、図７の説明図に示すように、スイッチ摘まみ３１の内部に突設された切換操作片３２は、実線位置から２点鎖線位置に変位されることにより、帯状のスイッチ接片３３を撓ませながら実線位置から２点鎖線位置に押し下げながら、線体からなるスイッチ接点部３４に接触させる。電池から豆電球１４への電源回路は、上記スイッチ接片３３のスイッチ接点部３４に対する接触によって閉成され、豆電球１４は、電池から電源供給されて点灯する。
【００３１】
一方、虫除け器部２は、図３に示すように、外体をなす容器ケース３７の内部の中央下部に通風ケース部３８が設けられており、この通風ケース部３８の上面には、虫除け器部２の平面図である図５に明示するように、網状の通風口３９が形成されている。通風ケース部３８の内部には回転駆動源のモータ４０が設置され、このモータ４０のモータ軸にはファン４１が直結されている。
【００３２】
なお、図５は後述する蓋板４４および虫除けカートリッジ４９を除去した状態を示している。また、通風ケース部３８は、図５に示すように、右側方に延びる送風ダクト部４２を備えており、この送風ダクト部４２の先端部は図１，図２に示した吹出口８に連通している。したがって、虫除け器部２は、モータ４０によってファン４１が回転駆動されると、通風口３９から通風ケース部３８内に吸引された空気が送風ダクト部４２を通って吹出口８から外部に吹き出されるようになっている。
【００３３】
また、図５に示すように、虫除け器部２の容器ケース３７には背面部に開口４３が設けられており、この開口４３は、図３に示すように、容器ケース３７の一部を構成する蓋板４４が着脱自在に取り付けられることによって施蓋されるが、これについての詳細は後述する。容器ケース３７の上面には吸気口４７が開設されており、この吸気口４７と通風ケース部３８の上方との間は、カートリッジ収容空間４８になっている。このカートリッジ収容空間４８には、虫除けカートリッジ４９が開口４３から挿入して収容される。
【００３４】
上記虫除けカートリッジ４９は、側面視で倒置Ｌ字形状のカートリッジケース４６内に虫除けマット部材５０と駆動源の例えば単三形の２本の電池５１とが収納された構成になっている。虫除けマット部材５０は発泡樹脂に薬剤を含浸させたもので、薬剤は、トランスフルトソンを主成分として、安定剤、着香剤、着色剤および溶剤の混合物を粒状パルプに含浸させた粒状物である。この虫除けマット部材５０は、これの内部に強制的に通風されることによって、薬剤から虫が嫌がる匂いを発散放出するものである。したがって、虫除けカートリッジ４９のカートリッジケース４６における虫除けマット部材５０の収納部の上下面は、図示を省略しているが、通風可能な網目状になっており、モータ４０によってファン４１が回転駆動されると、吸気口４７から吸い込まれた空気が虫除けマット部材５０の内部を通過し、それにより虫除けマット部材５０から発散した匂いが送風ダクト部４２を通って吹出口８から外部に放出されるようになっている。
【００３５】
また、虫除けカートリッジ４９に収納された２本の電池５１は、各々の正極端子がカートリッジケース４６の図３における後方側に外部露呈されており、虫除けカートリッジ４９が開口４３から挿入してカートリッジ収容空間４８に収納されたときに、容器ケース３７の開口４３近傍の側壁面に配設された接触接点５２に外部露呈の正極端子が接触する。これにより、電池５１は、モータ４０の電源回路に自動的に介装接続される。そして、モータ４０は、スライド式のスイッチ釦５３が電源入りの位置に操作されることにより、図３の回路基板５８に装着されたスイッチ５７がオン状態となって上記電源回路が閉成されて、電池５１から駆動電力の供給を受けて回転駆動する。このモータ４０の回転時には、図１および図２に示す発光ダイオードからなる表示灯５４が点灯して、虫除け器部２が使用状態であることを表示する。
【００３６】
上記虫除けカートリッジ４９は、使い捨て形態で使用するものであって、虫除けマット部材５０と電池５１とはほぼ同じ耐用時間（例えば、160 時間）に設定されている。したがって、スイッチ釦５３を電源入りの位置に操作したにも拘わらず表示灯５４が点灯しなかった場合には、電池５１と共に虫除けマット部材５０も寿命であると確認でき、虫除けカートリッジ４９を新たなものと交換する。そのため、上記虫除けカートリッジ４９は、電池５１のみを交換して虫除けマット部材５０の交換を忘れるといった不具合の発生を確実に防止できるものである。
【００３７】
上記虫除けカートリッジ４９の交換に際しては、蓋板４４を容器ケース３７から取り外したのちに寿命の虫除けカートリッジ４９を取り出し、新たな虫除けカートリッジ４９を開口４３からカートリッジ収容空間４８内に押し込み、蓋板４４の上端の係止片５９を容器ケース３７の上面の係止孔６０に差し込み、蓋板４４の下部を開口４３内に押し込む手順で行う。これにより、蓋板４４の下端から突出した２つの係合爪６１は、開口４３の下辺縁に沿って形成された係止突条部６２に係合し、蓋板４４が容器ケース３７に着脱自在に取り付けられる。
【００３８】
上述の蓋板４４が容器ケース３７に取り付けられたとき、虫除けカートリッジ４９は、蓋板４４の内面側の保持枠部６３に嵌入して保持されたクッション部材６５が押し付けられることにより、抜け止め状態にロックされて、電池５１が接触接点５２に電気的接続された状態でカートリッジ収容空間４８内に安定に保持される。すなわち、蓋板４４は、虫除けカートリッジ４９のロック部材としての機能をも兼備している。また、虫除けカートリッジ４９は蓋板４４によって外部からは完全に隠蔽された状態で容器ケース３７内に収容されるとともに、容器ケース３７は、蓋板４４によって開口４３が閉塞されて、恰も一体物の円筒体であるが如き優れた外観を呈する。
【００３９】
つぎに、ランタン部１の電池ケース７と虫除け器部２の容器ケース３７とを着脱自在に連結する構造について説明する。図４はランタン部１つまり電池ケース７の底面図を示す。同図において、電池ケース７の底面には、その周端縁に沿った同一円上に同一形状の４つの支持脚部９が90°の等間隔で配設されている。この支持脚部９の下端は、図２に明示するように、電池ケース７の底面よりも下方に突出している。また、支持脚部９には、図３に明示するように、下端が開口した導風口６４が内部に形成されている。この導風口６４の詳細については後述する。また、図１および図２に明示するように、４つの支持脚部９のうちの特定の１つ（図１および図２の左方側）の支持脚部９の外面には、位置決め表示凸部７２が形成されている。
【００４０】
さらに、図４において、電池ケース７の底面には、各支持脚部９の配設円に対し内方側の同心円上に、同一長さの弧状となった４つのガイドレール部６７が下方に向け突設されているとともに、４つのうちの３つのガイドレール部６７の下端面からは、ガイドレール部６７に沿った同一長さの係合爪片６８が外方に向け一体に突設され、残る１つのガイドレール部６７の下端面からは、上記係合爪片６８よりも長さの短い位置決め係合爪片６９が外方に向け一体に突設されている。さらに、位置決め係合爪片６９に対し電池ケース７の径方向で相対向するガイドレール部６７と係合爪片６８との間には、当止突部７０と係止突部７１とが形成されている。
【００４１】
一方、虫除け器部２の容器ケース３７には、これの平面図を示す図５において、上面周縁に沿った円形の一部が切欠したほぼ環状の保持壁部７３が上方に向け一体に突設されている。この保持壁部７３は、電池ケース７の上記４つの支持脚部９の内接円よりも僅かに大きな外径と、上記３つの係合爪片６８と１つの位置決め係合爪片６９の外接円よりも僅かに大きな内径とを有したほぼ円形を有している。すなわち、保持壁部７３は、その外面に４つの支持脚部９を摺動自在に嵌合させ、且つその内面に３つの係合爪片６８と１つの位置決め係合爪片６９とを摺動自在に嵌合させることができる形状を有している。
【００４２】
上記保持壁部７３には、前側と左右側とに90°間隔で導風用切欠き７４が形成されているとともに、その上端面からは、保持壁部７３に沿った同一長さの弧状の３つの係止爪片７７と、この係止爪片７７よりも長い弧状の１つの係止爪片７８が内方に向け一体に突設されている。また、長い係止爪片７８の右方に隣接する係止爪片７７には、位置決め凹部７９が形成されている。これら４つの係止爪片７７，７８の間における３つの間隔は同一長さＬに設定され、長い係止爪片７８とこれの後方側で隣接する係止爪片７７との間隔は上記長さよりも短い長さｌに設定されている。上記長さＬは、電池ケース７の係合爪片６８の長さよりも僅かに長く設定されて、これら係合爪片６８の挿入を許容する。一方、上記長さｌは、電池ケース７の位置決め係合爪片６９の長さよりも僅かに長く設定されて、この位置決め係合爪片６９のみの挿入を許容する。
【００４３】
したがって、ランタン部１と虫除け器部２とは、電池ケース７の位置決め係合爪片６９を容器ケース３７の短い長さｌの間隔に配置された２つの係止爪片７７，７８の間に対向する相対位置に配置したときのみ、電池ケース７の下端部を容器ケース３７の上端部に嵌め込むことが可能になる。この位置決め操作を容易に行えるようにするために、虫除け器部２の容器ケース３７の外面上部には、図１、図２および図５にそれぞれ示すように、位置決め表示凹部８０と取付表示凸部８１とが形成されている。
【００４４】
図２に示すように個々に分離されたランタン部１と虫除け器部２とを合体させるには、ランタン部１と虫除け器部２とを、電池ケース７の位置決め表示凸部７２が容器ケース３７の位置決め表示凹部８０に合致する相対位置に相対向させると、電池ケース７の位置決め係合爪片６９が容器ケース３７の短い長さｌの間隔に配置された２つの係止爪片７７，７８の間に対向して、両者を相互に嵌め込み可能な相対位置となる。
【００４５】
上記状態において、電池ケース７の係合爪片６８および位置決め係合爪片６９を容器ケース３７の保持壁部７３内に挿入すると、４つの支持脚部９が保持壁部７３に対しこれの外面に接触状態に外嵌される。つぎに、ランタン部１と虫除け器部２とは、位置決め表示凸部７２が容器ケース３７の取付表示凸部８１に合致するまで相対回転させると、電池ケース７の係合爪片６８および位置決め係合爪片６９が、容器ケース３７の係止爪片７７，７８の下面に対し摺動しながら入り込んで重合し、容器ケース３７の位置決め凹部７９を有する係止爪片７７の一端の当接面（図５）７７ａに電池ケース７の当止突部７０が当接して回転が停止したときに、電池ケース７の係止突部７１が上記位置決め凹部７９内に嵌まり込む。これにより、電池ケース７と容器ケース３７とは、回転力を加えない限り回転しない回り止め状態で相互に連結される。
【００４６】
上記ランタン部１と虫除け器部２とが上記相対位置で連結されたときには、図１に明示するように、虫除け器部２における容器ケース３７の３つの導風用切欠き７４がそれぞれ支持脚部９により外部から覆われて隠蔽されるとともに、ランタン部１のスイッチ摘まみ３１と虫除け器部２のスイッチ釦５３とが前面の同一鉛直線上に位置し、ランタン部１と虫除け器部２との双方の操作性が向上するだけでなく、デザイン的に優れた外観を呈する。但し、各導風用切欠き７４は、上述のように支持脚部９によって外部から覆われているが、図３に明示するように、支持脚部９の導風口６４を通じて外部に導通しているので、虫除け器部２のスイッチ釦５３が電源入りの位置に操作されたときには、モータ４０によって作動されるファン４１の吸引力により、外部から導風口６４、導風用切欠き７４および容器ケース３７の吸気口４７を通ってカートリッジケース４６内の虫除けマット部材５０内に送風され、虫除け器部２として支障無く機能する。
【００４７】
上述のように、ランタン部１と虫除け器部２とが一体に合体された虫除け機能付きランタンは、例えば、キャンプにおいてテントの中に置くことにより、所要の照明光を得ながらも虫がテント内に入らないよう除外できるので、蚊取線香を用いる場合のような火災の心配が全くない。また、夜間にキャンプ場を散策するような場合には、把手４を把持してランタン部１と虫除け器部２とを一体物として携帯できるので、手軽に取扱いできる。しかも、虫除け器部２は、マットを温めてそのマットに含浸されている薬剤を蒸発させる一般的な殺虫器とは異なり、発熱機能がなく、モータ４０によってファン４１を回転駆動するだけであるから、この点からも火災のおそれが全くなく、しかも、電池５１の消費電力を低く抑えて十分な寿命を確保できる。
【００４８】
また、キャンプ場で食事をするような場合には、ランタン部１と虫除け器部２とを合体させた状態でテーブル上に据え置くと、テーブル上から虫の嫌がる匂いが吹き出し食事の雰囲気を悪くするおそれがある。そのような場合には、上述したランタン部１と虫除け器部２との合体操作手順を逆に操作して、ランタン部１と虫除け器部２とを個々に分離すれば、ランタン部１と虫除け器部２とは、個々に電源としての電池５１と操作部としてのスイッチ摘まみ３１およびスイッチ釦５３とを備えているので、個々に使用できる。そこで、例えば、虫除け器部２は足元に置き、ランタン部１はテーブル上に載置して使用する。このとき、ランタン部１は、図２に明示するように、電池ケース７の底面から下方に突出した４本の支持脚部９によって安定状態に据え置くことができる。また、ランタン部１がテーブルから落下したような場合には、電池ケース７の下方に突出した４本の支持脚部９が電池ケース７を保護するよう機能する。
【００４９】
【発明の効果】
以上のように、本発明の虫除け機能付きランタンによれば、ランタン部と虫除け器部とが着脱自在に連結された構成を有しているので、例えば、キャンプにおいてテントの中に置くことにより、所要の照明光を得ながらも虫がテント内に入らないよう除外できるので、蚊取線香を用いる場合のような火災の心配が全くなく、また、夜間にキャンプ場を散策するような場合には、ランタン部と虫除け器部とを一体物として携帯できるので、手軽に取扱いできる。しかも、虫除け器部は、ファンを回転駆動するだけであって発熱機能がないから、この点からも火災のおそれが全くない。さらに、ランタン部と虫除け器部とは、個々に分離できるとともに、個々に電源としての電池とスイッチ操作部とを備えているので、ランタンおよび虫除け器として個々に使用できる。そのため、虫除け器部は足元に置き、ランタン部はテーブル上に載置するといったように好ましい形態で使用できる。
【図面の簡単な説明】
【図１】本発明の一実施の形態に係る虫除け機能付きランタンを示す正面図。
【図２】同上の虫除け機能付きランタンの分解正面図。
【図３】同上の虫除け機能付きランタンの切断右側面図。
【図４】同上の虫除け機能付きランタンにおけるランタン部の底面図。
【図５】同上の虫除け機能付きランタンにおける虫除け器部の一部除去した状態の平面図。
【図６】図３のＡ部の拡大図。
【図７】同上の虫除け機能付きランタンにおけるランタン部のスイッチの作動を示す説明図。
【符号の説明】
１  ランタン部
２  虫除け器部
３  照明部
４  把手
７  電池ケース
８  吹出口
９  支持脚部
１０  中蓋プレート
１１  ソケット部
１２  照明ケース
１４  豆電球（光源）
１７  外体ケース部
１８  光拡散筒部
１９  雄ねじ部
２０  雌ねじ部
２１  パッキン
２２  係合凹部
２３  係合突起
２４  環状リブ
３１  スイッチ摘まみ（スイッチ操作部）
３７  容器ケース
４０  モータ（回転駆動源）
４１  ファン
４３  開口
４４  蓋板
４６  カートリッジケース
４７  吸気口
４８  カートリッジ収容空間
４９  虫除けカートリッジ
５０  虫除けマット部材（虫除け部材）
５１  電池
５２  接触接点
５３  スイッチ釦（スイッチ操作部）
６４  導風口
６５  クッション部材
６７  ガイドレール部
６８  係合爪片
６９  位置決め係合爪片
７１  係止突部
７３  保持壁部
７４  導風用切欠き
７７，７８  係止爪片
７９  位置決め凹部
【図１】
0003801881.tif 000002
【図２】
0003801881.tif 000003
【図３】
0003801881.tif 000004
【図４】
0003801881.tif 000005
【図５】
0003801881.tif 000006
【図６】
0003801881.tif 000007
【図７】
0003801881.tif 000008